(57)【要約】      （修正有）【課題】台車に塔載されたコンテナの蓋をその台車の移動した位置によって自動的に開閉させると共に、新聞束のコンテナへの積込み、及び、コンテナからの取出し、並びに、移載をほぼ自動的に行うことができる、新聞等の搬送装置を提供する。【解決手段】側面に上下スライド蓋21を備えた新聞束などを収容するコンテナ11を塔載した台車３と、該台車３が出発地点Ｓから目的地点Ｇまで走行するのを支持案内する軌条４やコンベアによる搬走ラインと、前記出発地点Ｓに配設したコンテナ11側面の開口部と同じ高さの積込み台６と、目的地点Ｇにおいて前記搬走ラインと切離され、当該搬走ラインに続く搬走ラインを有する移載部Chとを備えて成り、前記コンテナ11にはその蓋21の外面側にガイドローラ21aを設けると共に、出発地点Ｓの積込み台６における前記ガイドローラ21aに対向する位置に当該ガイドローラ21aを引込んで前記蓋21を下方へスライドさせる蓋開きガイド５を設ける一方、移載部Chの搬走ラインに沿っても前記蓋開きガイド５と同機能の蓋開きガイド51を設ける。【選択図】図１
0003104642.tif 000002
【実用新案登録請求の範囲】
【請求項１】
側面に上下スライド蓋を備えた新聞束などを収容するコンテナを塔載した台車と、該台車が出発地点から目的地点まで走行するのを支持案内する軌条やコンベアによる搬走ラインと、前記出発地点に配設したコンテナ側面の開口部と同じ高さの積込み台と、目的地点において前記搬走ラインと切離され、当該搬走ラインに続く搬走ラインを有する移載部とを備えて成り、前記コンテナにはその蓋の外面側に作用ローラを設けると共に、出発地点の積込み台における前記ローラに対向する位置に当該ローラを引込んで前記蓋を下方へスライドさせる蓋開きガイドを設ける一方、移載部の搬走ラインに沿っても前記蓋開きガイドと同機能の蓋開きガイドを設け、かつ、その移載部をそこに到着したコンテナの開口部が下向きになる側に角回転可能に設けたことにより、前記蓋開きガイドによって蓋が開けられたコンテナ内の新聞束などを移載ライン側に滑り落すようにしたことを特徴とする新聞束等の搬送装置。
【請求項２】
搬送装置は、コンテナを備えた自走式台車と該台車の走行を案内する軌条を具備した請求項１の新聞束等の搬送装置。
【考案の詳細な説明】
【技術分野】
【０００１】
本考案は新聞や雑誌などの結束したものを、新聞社や出版社などの建屋内で搬送するための装置に関する。
【背景技術】
【０００２】
例えば、Ａ新聞社では印刷が上った新聞を、輪転機近傍の出発地点において所定部数ごとバンドで束ね、この新聞束を台車に塔載された蓋付きのコンテナへ人手により持上げて積込み、その台車を目的地点の新聞発送の部署まで走行させ、そこで台車のコンテナの中から人手により新聞束を持上げて取出し、包装機へ新聞束を運び込むための搬送ラインに人手により移載することが行われている。そして、出発地点から目的地点までは、前記コンテナを塔載した台車が走行する軌条が敷設されて成る搬送装置が配置されている。
【０００３】
しかし、上記の搬送装置では、コンテナの蓋の開閉から新聞束のコンテナへの積込み、及び、目的地点でコンテナから取出して包装機への搬入ラインへ移載するまで、すべて人手による作業であるため、非省力的であると共に、人手作業のテンポに合せた作業となるため搬送全体の効率も余りよくないという問題がある。
【考案の開示】
【考案が解決しようとする課題】
【０００４】
そこで本考案では、台車に塔載されたコンテナの蓋をその台車の移動した位置によって自動的に開閉させると共に、新聞束のコンテナへの積込み、及び、コンテナからの取出し、並びに、移載をほぼ自動的に行い、そして、一部の作業に人手を利用するとしてもごく僅かな労力で済むようにした新聞等の搬送装置を提供することを課題とする。
【課題を解決するための手段】
【０００５】
上記課題を解決することを目的としてなされた本考案搬送装置の構成は、側面に上下スライド蓋を備えた新聞束などを収容するコンテナを塔載した台車と、該台車が出発地点から目的地点まで走行するのを支持案内する軌条やコンベアによる搬走ラインと、前記出発地点に配設したコンテナ側面の開口部と同じ高さの積込み台と、目的地点において前記搬走ラインと切離され、当該搬走ラインに続く搬走ラインを有する移載部とを備えて成り、前記コンテナにはその蓋の外面側に作用ローラを設けると共に、出発地点の積込み台における前記ローラに対向する位置に当該ローラを引込んで前記蓋を下方へスライドさせる蓋開きガイドを設ける一方、移載部の搬走ラインに沿っても前記蓋開きガイドと同機能の蓋開きガイドを設け、かつ、その移載部をそこに到着したコンテナの開口部が下向きになる側に角回転可能に設けたことにより、前記蓋開きガイドによって蓋が開けられたコンテナ内の新聞束などを移載ライン側に滑り落すようにしたことを特徴とするものである。
【考案の効果】
【０００６】
本考案搬送装置では、コンテナが出発地点の積込み台の位置に来るとコンテナの蓋が蓋開きガイドの作用で自動的に開けられるから、作業員は積込み台の上に置いた新聞束を、その後から押出して積込み台の上から滑らせることにより、蓋が開いて側面が開口したコンテナに積み込むことができ、出発地点から台車が走行し始めてコンテナが積込み台を離れると蓋開きガイドの作用が解除されるのでコンテナの蓋は自動的に閉じられる。
【０００７】
走行して目的地点の移載部に到着したコンテナは、閉じた蓋がそこに設置されている蓋開きガイドによって再び自動開蓋される。そして、この移載部が、コンテナの開口部側を下方へ向けるように傾く角回転をすることにより、コンテナ内の新聞束は自重によりコンテナ内から滑り出し、移載部の前後と切離された走行ラインに平行に設けられて当該走行ラインと一体に傾く移載ライン上に自動的に移載され、次の包装機へ搬送される。コンテナの開けられた蓋は、台車が移載部を離れると蓋開けガイドの作用がなくなるので自動的に閉じる。
【０００８】
このように、本考案搬送装置では、コンテナの蓋の開閉と新聞束の移載が自動的になされ、人手によるのは、コンテナへの積込みだけであり、しかも、その積込みも新聞束の持上げをしない押込み（スライド）でよいから、至って省力的であり効率も高い。
【考案を実施するための最良の形態】
【０００９】
次に、本考案搬送装置の一例について、図を参照して説明する。図１は本考案搬送装置を説明するため、その搬送状態を(a)〜(h)により時系列的示した模式的に示した側面図、図２は従来の搬送装置を説明するため、その搬送状態を(イ)〜(ホ)により模式的に示した側面図である。
【００１０】
ここでは、本考案搬送装置の実施の形態の説明に先立ち、Ａ新聞社において設置されている従来の新聞束の搬送装置について図２を参照して説明する。通常、日刊紙等の新聞は輪転機により連続的に印刷されたあと、４つ折状態で所要部数を重ね、これを紙バンド等で結束して包装機に掛けるため包装機が設置されている場所まで搬送装置により運ばれる。
【００１１】
図２において、結束された新聞束NBは、(イ)の出発地点Ｓに待機するヒンジ開閉式の上蓋を備えたコンテナ１の蓋２を作業員が手を掛けて開け、その作業員が新聞束NBを持ち上げてコンテナ１の中に入れ、(ロ)において前記蓋２を人手によって閉め、(ハ)の目的地点Ｇ（包装機Ｐの設置エリア）に向け台車３の出発をさせている。なお、４は台車３を走行，停止自在に支持案内する軌条であり、少なくとも出発地点Ｓから目的地点Ｇまでは連続して敷設されている。
【００１２】
図２における(ハ)の目的地点Ｇに到着したコンテナ１は、そこで持ち受けている作業員が、(ニ)に示すように手でコンテナ１の蓋２を開け、コンテナ１から新聞束NBを持上げて(ホ)に示すように包装機Ｐまで手持ちで運んでその包装機Ｐにセットしていた。
しかし、このような搬送態様であると、人手による作業が多いのみならず、重量の大きな新聞束NBを作業員が手で持って運ぶ必要があるので、非省力的であることは、先に述べた通りである。
【００１３】
そこで本考案では、図１に示したように、まず、コンテナ11を、その側面に出入口11aを形成すると共に、その側面出入口11aに、上下スライド式の扉（蓋）21を設け、この蓋21に次の構成を付加した。即ち、蓋21の外面下部に、当該蓋21を開閉するための作用ローラ（又は、ダボ状のものでもよい）21aを設けると共に、その蓋21を常時閉じ状態を保つように上向きに付勢するバネ（図示せず）を当該蓋21とコンテナ11の間に架設した。
【００１４】
次に、本考案では、出発地点Ｓの手前に設定する新聞束NBの積込み地点であって搬送ラインを形成する軌条４と平行な位置に、前記蓋21の作用ローラ21aを引込んで支持することにより、台車４の移動によってコンテナ11の蓋21を開ける作用をする蓋開きガイド５を設けた。このガイド５は断面略┐状又は略コ字状をなし、コンテナ11と略同長の部材により、正面から見てなだらかな凹状をなすように形成されていることにより、蓋21を閉じたコンテナ11を載せた台車３が図１(a)の左側から右側へ移動すると、この移動に伴い作用ローラ21aがガイド５に嵌入し、このガイド５の軌跡（形状）に沿って案内されるから、この蓋開けガイド５の下死点（最下位置）まで、蓋21が降下させられてコンテナ11の出入口11aが開き、コンテナ内が外部に露出する。
【００１５】
ここで、前記ガイド５の作用で蓋21が全開される位置の手前には、新聞束NBの積込み台６が設置されているので、この台６の上に載せられた新聞束NBを向う側（コンテナ11の開口した出入口11a）に向って押出せば、その新聞束NBは、図１(b)に示すように、持上げることなくコンテナ11の内部に入れることができる。
【００１６】
新聞束NBが収容されたコンテナ11は、図１(b)の位置を出発地点Ｓとして、搬走ラインである軌条４の上を目的地点Ｇへ向けて走行開始されるが、この走行開始によって、図１(c)に示すように、前記ローラ21aは蓋開きガイド５から外れるので、蓋21はそのバネ力によって自動閉蓋されて目的地点Ｇへ向う（図1(d)，(e)参照）。
【００１７】
本考案装置においては、目的地点Ｇは、図１(f)に概要を示すように移載部Chに形成されている。即ち、移載部Chは、この移載部Chを形成するために前後の軌条４と分離された移載部軌条41（移載部の搬走ライン）と、前記ガイド５と同様の形態かつ同様の配設位置の移載部蓋開けガイド51と、コンテナ11の開口した出入口11aの手前（前記の積込み台６と同じ高さ）において、前記軌条41と一緒に移載フレーム７に設けられた移載コンベア８を（移載ラインとして）備えていると共に、前記フレーム７が、軌条４，41と平行な回転軸９に支持され、軌条41とコンベア８とを水平姿勢から手前側に傾斜した姿勢に揺動（角回転）できるように形成されている。なお、9aは回転軸９の軸受、9bは回転軸９の揺動駆動源で、図の例ではモータとして例示しているが、駆動源9bにはフレーム７を傾斜，復帰させるエアシリンダなどを用いる。また、移載コンベア８の手前には、図示しないが、コンテナ11から滑り出す新聞束NBがこのコンベア８から手前側に滑落するのを防ぐストッパ壁が設けられている。
【００１８】
本考案搬送装置では、目的地点Ｇに形成された移載部Chの軌条41に台車４が到達すると、図1(f)に示すように、まず、コンテナ11の蓋21が、そのローラ21aが蓋開けガイド51に案内されるので、閉じている蓋21を自動的に開ける。蓋21の開放が検出されたらフレーム７が図の手間側に角旋回して軌条41と移載コンベア８をコンテナ11と一緒に図の手前側に傾斜させる。この傾斜によってコンテナ11の内部に入っていた新聞束NBは、コンテナ11の内部から移載コンベア８の側へ独りでに滑り出て、当該コンベア８に移載される。この移載では新聞束NBが滑り落ちないようにコンベア８の手前側に設けたストッパ壁（図示せず）が作用する。
【００１９】
新聞束NBが移載コンベア８に載せられると、フレーム７が元の水平姿勢に戻って当該コンベア８が起動され、新聞束NBは水平に戻った移載コンベア８の上を図の左方へ移動して当該コンベア８に接続された包装機Ｐへの搬送コンベア10に乗せられて包装機Ｐに搬入されることとなる（図１(g)，(h)参照）。以上の説明は、Ａ新聞社における新聞束の搬送についてのものであるが、本考案搬送装置は、雑誌やその他の物品の搬送についても同様に適用でき、同様の効果を享受できる。
【産業上の利用可能性】
【００２０】
本考案搬送装置は、以上の通りであって、コンテナ11への新聞束NBの積込みから、包装機Ｐへの搬送までの一連の作業のうち、人手を要するのは出発地点Ｓの手前で新聞束NBを積込み台６の上からコンテナ11の内部へ滑らせて押込む作業のみで、その作業以外の作業、つまり、コンテナ11の蓋21の開，閉、及び、目的地点Ｇでの移載並びに包装機Ｐへの搬入まですべて自動的になし得るから、図１に例示した従来の搬送装置による作業に比べ大幅な省力化を実現でき、またそれ故に、作業のスピードアップや高効率化を、省力的に実現できるという効果が得られる。
【図面の簡単な説明】
【００２１】
【図１】本考案搬送装置を説明するため、その搬送状態を(a)〜(h)により時系列的示した模式的に示した側面図。
【図２】従来の搬送装置を説明するため、その搬送状態を(イ)〜(ホ)により模式的に示した側面図。
【符号の説明】
【００２２】
11    コンテナ
11a   コンテナ側面の出入口
21    蓋
21a   作用ローラ
３    台車
４    軌条
５    蓋開けガイド
６    積込み台
Ｓ    出発地点
Ｇ    目的地点
Ch    移載部
７    移載部のフレーム
41    移載部の軌条
51    移載部の蓋開けガイド
８    移載コンベア
９    回転軸
10    搬送コンベア
Ｐ    包装機
【図１】
0003104642.tif 000003
【図２】
0003104642.tif 000004